(57)【要約】 【課題】握持した際の指元側に位置する柄の基端部が膨出部分（膨出基部）を備え、柄を握持して道具を使用するために振り回した際に、膨出基部が手刀面側（小指側の手側面）にぶつかり、遠心力によって手から道具が抜け出るのを防止している手道具の柄を、容易に且つ効率的に製造する構造を提供する。【解決手段】先端に連結筒穴部を備え、前記連結筒穴部に連続する首部から基端に向かって一側周面が略直線状にして、前記直線状周面の対向側面が基端に向かって大きく膨出して握持の際の小指側受け部となるスロープ面となるように樹脂材の型成形で製出した膨出基部体１を備えてなり、適宜先端に鉤本体（機能部材）３を装着した棒状柄体２を連結する。【選択図】図１
0003171401.tif 000002
【実用新案登録請求の範囲】
【請求項１】
先端に連結筒穴部を備え、前記連結筒穴部に連続する首部から基端に向かって一側周面が略直線状にして、前記直線状周面の対向側面が基端に向かって大きく膨出して握持の際の小指側受け部となるスロープ面となるように樹脂材の型成形で製出した膨出基部体を備えてなることを特徴とする手道具の柄。
【請求項２】
先端に鉤本体、鎌刃体、鍬本体、その他の機能部材を装着可能として棒状柄体の基部を、膨出基部体の連結筒穴部に連結してなる請求項１記載の手道具の柄。
【請求項３】
膨出基部体が上下分割体で形成すると共に、内部リブ板部及び嵌合連結部を備えた中空体に形成してなる請求項１又は２記載の手道具の柄。
【請求項４】
膨出基部体が木質発泡樹脂で形成してなる請求項１又は２記載の手道具の柄。
【請求項５】
連結筒穴部を円筒形状とし、対向する直状周面とスロープ面と連続する左右側周面を、前記連結筒穴部の周面からの基端に向かって膨出させて、基端面を小判形状としてなる請求項１乃至４記載のいずれかの手道具の柄。
【請求項６】
連結筒穴部の側周面に上下位置を異ならせた左右に鋲孔を設けてなる請求項１乃至５記載のいずれかの手道具の柄。
【考案の詳細な説明】
【技術分野】
【０００１】
本考案は、手鉤、片手鍬、鎌、小型レーキ等のように主として片手で保持して使用する手道具の柄の構造に関するものである。
【背景技術】
【０００２】
例えば手鉤は、木製柄部の先端に金属製の鉤体を装着しているもので、特に木製柄は、特許文献１（特開２０００−２９２２４９号公報）に示されているように、握持した際の指元側に位置する柄の基端部が膨出する形状（以下当該箇所を「膨出基部」という）に形成している。この膨出基部は、柄を握持して道具を使用するために振り回した際に、膨出基部が手刀面側（小指側の手側面）にぶつかり、遠心力によって手から道具が抜け出るのを防止している。勿論前記した手鉤に限定されず、その他の手道具の柄においても前記膨出基部は採用されている。
【先行技術文献】
【特許文献】
【０００３】
【特許文献１】特開２０００−２９２２４９号公報。
【考案の概要】
【考案が解決しようとする課題】
【０００４】
ところで、前記の膨出基部を備えた木製柄は、その特殊な形状（変形形状）のために、原材料の取得が容易ではなく、且つ製造時の廃棄部分（無駄）が多く原材料の有効利用が実現されず、更に１個毎の手作りとなるために、その製造効率が悪い等のいくつかの問題を抱えている。
【０００５】
そこで本考案は、手鉤のような膨出基部の柄を備える片手使用の手道具において、新規な柄構造を提案したものである。
【課題を解決するための手段】
【０００６】
本考案（請求項１）に係る手道具の柄は、先端に連結筒穴部を備え、前記連結筒穴部に連続する首部から基端に向かって一側周面が略直線状にして、前記直線状周面の対向側面が基端に向かって大きく膨出して握持の際の小指側受け部となるスロープ面となるように樹脂材の型成形で製出した膨出基部体を備えてなることを特徴とするものである。
【０００７】
また本考案（請求項２）に係る手道具の柄は、前記において、手道具先端に鉤本体、鎌刃体、鍬本体、その他の機能部材を装着可能として棒状柄体の基部を、膨出基部体の連結筒穴部に連結してなるものである。
【０００８】
しかして従前手道具の柄の基部側の一部を、型成形で大量生産が可能な膨出基部体とすることで、手作業による膨出基部を備えた柄を製造することなく、連結筒穴部に鉤、片手鍬、鎌、小型レーキ等の機能部材を直接或いは棒状柄部を介して装着すると、容易に所定の手道具を得ることができる。特に棒状柄体を採用することで柄の長さを容易に選択できる。
【０００９】
また本考案（請求項３）に係る手道具の柄は、特に膨出基部体が上下分割体で形成すると共に、内部リブ板部及び嵌合連結部を備えた中空体に形成してなるもので、全体を軽量にでき、且つ相応の強度を備えさせることができる。
【００１０】
また本考案（請求項４）に係る手道具の柄は、特に膨出基部体が木質発泡樹脂で形成してなるもので、必要に応じて切削・穴あけ等の後加工を容易に施すことができる。
【００１１】
また本考案（請求項５）に係る手道具の柄は、特に連結筒穴部を円筒形状とし、対向する直状周面とスロープ面と連続する左右側周面を、前記連結筒穴部の周面からの基端に向かって膨出させて、基端面を小判形状としてなるもので、円柱棒状柄を採用することで、既存の部材を棒状柄として採用できるので、棒状柄の材質の選択性が高められ、またコストダウンに貢献する。
【００１２】
また本考案（請求項６）に係る手道具の柄は、特に連結筒穴部の側周面に上下位置を異ならせた左右に鋲孔を設けてなるもので、機能部材や棒状柄を効率的に堅牢に装着できる。
【考案の効果】
【００１３】
本考案の構成は上記のとおりで、膨出基部を備えた手道具の柄を、予め型成形で製出する膨出基部体を使用して形成するもので、特殊な形状（変形形状）に対応する原材料を取得する必要が無く、且つ１個毎の手作りの必要がなくなり、その製造効率を高めたものである。
【図面の簡単な説明】
【００１４】
【図１】本考案の実施形態の全体斜視図。
【図２】同膨出基部体の分解斜視図。
【図３】同断面図。
【図４】同図（棒状柄の連結状態を示す）。
【図５】同他の実施形態の斜視図。
【考案を実施するための形態】
【００１５】
次に本考案の実施形態について説明する。本考案の手道具は、膨出基部体１と、棒状柄体２と、鉤本体（機能部材）３で構成される。
【００１６】
膨出基部体１は、外形面１１が、先端の円筒形状である連結筒穴部１２の周面１１ａに連続する首部１１ｂから基端に向かう一側周面を直線状の周面１１ｃとし、前記直線状周面１１ｃとの対向側面を、基端に向かって大きく膨出し、握持に際して小指側の手側面（手刀面側）の受け部となるスロープ面１１ｄとなるようし、更に前記の対向する直状周面１１ｃとスロープ面１１ｄと連続する左右側周面１１ｅを、前記連結筒穴部１２の周面１１ａからの基端に向かって膨出させて、基端面１１ｆを小判形状としてなるものである。
【００１７】
前記の外形形状とする膨出基部体１は、樹脂の型成形で製出される上下分割体１３，１４で形成するもので、下方分割体１３は小判形状の基端面１１ｆと、基端面１１ｆの周囲の僅かな立ち上がり周面を備え、前記周面には嵌合段差部（嵌合連結部）１３１を設けると共に、周面に囲繞された範囲に内部リブ板部１３２を形成し、更に適宜箇所に嵌合突起部（嵌合連結部）１３３を設けてなる。
【００１８】
上方分割体１４は、前記の下方分割体１３以外の部分を構成するもので、前記した連結筒穴部１２を備えると共に、首部１１ｂと直状周面１１ｃ及びスロープ面１１ｄ及び左右側周面１１ｅの殆どを占める形状で、基端側の下縁には、前記内部に嵌合段差部（嵌合連結部）１３１と対応する内側段部（嵌合連結部）１４１を設け、内方に内部リブ板部１４２を形成し、更に嵌合突起部（嵌合連結部）１３３と対応する嵌合受け部（嵌合連結部）１４３を設けてなる。更に連結筒穴部１２の側周面には、上下位置を異ならせた左右に鋲孔１５を設けてなるものである。
【００１９】
棒状柄体２は、先端に鉤本体（機能部材）３を装着可能としたもので、基部２１を、前記膨出基部体１の連結筒穴部１２に挿入し、鋲孔１５から鋲体４を螺入して棒状柄体２を固定する。
【００２０】
鉤本体（機能部材）３は従前のものと同様で、その基部を棒状柄体２に固着するもので、その固着手段は、棒状柄体２の端面への差し込み、棒状柄体２の先端側面に形成した溝内の嵌合装着、基部の釘着等、機能部材に対応した適宜な手段を採用するものである。
【００２１】
而して前記の手道具は、従前の基端膨出柄を備えたものと同様に、膨出基部体１が、柄を握持して道具を使用するために振り回した際に、手刀面側（小指側の手側面）にぶつかり、遠心力によって手から道具が抜け出るのを防止しているもので、この特殊な形状の柄の一部を大量生産可能な膨出基部体１とすることで、その製造効率を高めることができたものである。
【００２２】
また本考案は、機能部材に図示した鉤本体３に限定されるものではなく、各種の手道具に採用することができるものである。更に図５に例示するように、棒状柄体２を採用せず、鉤本体（機能部材）３の基部を直接連結筒穴部１２に装着するものとしても良い。
【００２３】
また本考案は、前記した上下分割体１３，１４で形成される中空体の膨出基部体１に限定されるものではなく、例えば硬質発泡樹脂（木質樹脂）で形成することも可能であり、この場合には切削変形加工を加えることも容易に行うことができる利点がある。
【符号の説明】
【００２４】
１        膨出基部体
１１      外形面
１１ａ    連結筒穴部周面
１１ｂ    首部
１１ｃ    直線状周面
１１ｄ    スロープ面
１１ｅ    左右側周面
１１ｆ    基端面
１２      連結筒穴部
１３      下方分割体
１３１    嵌合段差部（嵌合連結部）
１３２    内部リブ板部
１３３    嵌合突起部（嵌合連結部）
１４      上方分割体
１４１    内側段部（嵌合連結部）
１４２    内部リブ板部
１４３    嵌合受け部（嵌合連結部）
１５      鋲孔
２        棒状柄体
２１      基部
３        鉤本体（機能部材）
４        鋲体
【図１】
0003171401.tif 000003
【図２】
0003171401.tif 000004
【図３】
0003171401.tif 000005
【図４】
0003171401.tif 000006
【図５】
0003171401.tif 000007